(57)【要約】      （修正有）【課題】特に、工事現場、イベント会場、災害発生現場等で仮設照明装置として用いられる照明装置であって、保管場所から設置場所へ、または、設置場所から別の設置場所への移動（運搬）を簡単に行うことができる組立式照明装置を提供することを目的とする。【解決手段】組立式照明装置１であって、ＬＥＤ光源を有する照明灯３と、該照明灯に電力を供給する蓄電池部４と、太陽光を受光して発電を行う太陽電池を有し、該太陽電池が発電した電力を前記蓄電池４に充電する太陽光パネル２と、を備え、前記照明灯３と、前記蓄電池部４と、前記太陽光パネル２とが、それぞれ、分離独立して形成されていることを特徴とする。【選択図】図１
0003202623.tif 000002
【実用新案登録請求の範囲】
【請求項１】
ＬＥＤ光源を有する照明灯と、
該照明灯に電力を供給する蓄電池部と、
太陽光を受光して発電を行う太陽電池を有し、該太陽電池が発電した電力を前記蓄電池に充電する太陽光パネルと、
を備え、
前記照明灯と、前記蓄電池部と、前記太陽光パネルとが、それぞれ、分離独立して形成されていることを特徴とする組立式照明装置。
【請求項２】
前記照明灯、前記蓄電池部、前記太陽光パネルのそれぞれに連結手段が取り付けられていることを特徴とする請求項１に記載の組立式照明装置。
【請求項３】
前記照明灯に取り付けられた連結手段、前記蓄電池部に取り付けられた連結手段、前記太陽光パネルに取り付けられた連結手段のそれぞれが、支柱部に着脱自在に連結されていることを特徴とする請求項２に記載の組立式照明装置。
【請求項４】
前記連結手段が、少なくとも、クランプ装置、メタルバンド、結束バンドのいずれか一つを用いて構成されていることを特徴とする請求項２又は請求項３に記載の組立式照明装置。
【請求項５】
前記照明灯には、一端に第１のコネクタ部が形成された第１のケーブルの他端が接続され、
前記太陽光パネルには、一端に第２のコネクタ部が形成された第２のケーブルの他端が接続され、
前記第１のコネクタ部、前記第２のコネクタ部は、それぞれ、前記蓄電池部に形成された第３のコネクタ部、第４のコネクタ部に着脱自在に接続されていることを特徴とする請求項１乃至請求項４のいずれか１項に記載の組立式照明装置。
【考案の詳細な説明】
【技術分野】
【０００１】
本考案は、各種工事現場、イベント会場、災害発生現場等で使用される組立式照明装置に関し、特に、照明灯と蓄電池と太陽光パネルを備えた組立式照明装置に関するものである。
【背景技術】
【０００２】
従来、土木・建設工事現場、道路工事現場等の各種工事現場においては、商用電源を供給する施設が現場付近になく、夜間作業用に用いる仮設の照明装置に商用電源を供給することが困難であるため、発電機や蓄電池を備えた移動式の照明装置が用いられていることが多い。また、野外のイベント会場等においても、商用電源を供給することができないときには、同様の移動式の照明装置が利用されている。さらに、災害発生現場においても、商用電源供給施設、照明設備、その他関連施設が被災すると、これらが復旧するまでには商用電源の供給ができないので、同様の移動式の照明装置が利用されている。
【０００３】
移動式の照明装置としては、例えば特許文献１、２に記載されているように、発電機を搭載する車輪付きの台車上に伸縮自在の支柱を立設し、該支柱の上端に投光機やバルーン型照明器具を装備し、発電機から供給される電力を電球に供給して、照明器具による投光を行うように構成した移動式の投光装置が知られている。
【０００４】
このような移動式の投光装置は、電力会社より供給される商用電源の利用が困難である場所でも適宜明るさの照明を得ることができるので、例えば夜間の道路工事現場などで作業用の照明として好適に用いられているが、電力源として発電機を使用しているため、点灯時に排気ガスや騒音が発生し、夜間における住宅街での使用やトンネル内での使用が困難であるなどの問題があった。
【０００５】
このような問題を解消するために、例えば、特許文献３には、電力源として商用電源で充電される蓄電池（バッテリー）を用い、該蓄電池をキャスター付きのボディ（ケース）に内蔵すると共に、そのボディ上面に立ち上げたマストの上端に投光器を装備した蓄電池式の移動式の投光照明装置が記載されている。
【０００６】
しかしながら、特許文献３に記載の移動式の投光照明装置は、商用電源による蓄電池への充電が必要であることから、長期間に亘って使用する場合などは、蓄電池の容量と使用状態に応じて所定頻度で商用電源が供給可能な充電施設に移動させて充電を行う必要があるため、充電中は現場での照明の点灯を中断するか、あるいは、現場での照明の中断をしないためには代わりの移動式の投光照明装置を用意しなければならず、利便性が悪く、経費も掛かってしまうという問題がある。
【０００７】
そこで、上記のような問題を解消するために、蓄電池への充電に太陽光発電を用いる方式の移動式の照明装置がある。太陽光発電を用いれば、騒音や排ガスの問題もなく、充電のために商用電源供給施設に移動する必要もなく、また、代わりの照明装置を用意する必要もない。
【０００８】
太陽光発電を用いた移動式の照明装置としては、特許文献４に、「移動式投光機１は、蓄電池が搭載される本体２に複数の照明灯３が設けられている。・・・。本体２に設けられる蓄電池は、太陽光発電装置または商用電源から供給される電力によって充電が可能である」（段落「０００９」、図１参照。）と記載されている。
【０００９】
また、特許文献５には、「移動式照明装置Ａにあっては、それぞれ台車上に設置されたソーラーパネルと、蓄電池と、照明灯とから成り、・・・、前記蓄電池は前記ソーラーパネルで発電された電気を蓄電して前記照明灯を点灯させると共に、・・・」（段落「００１７」、図１参照。）と記載されている。
【００１０】
さらに、上記の各種工事現場においては、上述した工事現場の夜間作業用の仮設照明だけでなく、現場事務所や資材置き場周辺の仮設照明、あるいは、工事規制区間内の保安用仮設照明が必要である。従来、このような仮設照明には、上記のような移動式の照明装置を転用するか、あるいは、常設用の街路灯を仮設照明装置として設置して用いていた。移動式の照明装置は上述した通りであり、常設用の街路灯としては、例えば、以下に示すように、特許文献６、特許文献７に記載したものがある。
【００１１】
特許文献６には、「屋外照明設備１は、公園や広場等の災害避難場所に街路灯や防犯灯などとして設置される照明設備であって、支柱部２０と、支柱部に取り付けられる灯具本体２１とを有する照明部２と、支柱部２０が連結支持された状態で地中に埋設される基礎部３と、内部中空部４０を有し基礎部３に一体形成された保管部４等を具備してなるものである」（段落「００２３」、図１〜図４参照。）と記載され、特許文献７には、「屋外に設置される屋外灯において、太陽光を受けて発電するソーラーパネルと、そのソーラーパネルが発電した電力を利用して点灯する照明部とを上部に有する中空形態をなす支柱を備え、その支柱の下端は、地面その他の設置面に固定される中空箱形態の基礎ボックスの上部に固定されて、その基礎ボックス上に前記支柱が立設され、その基礎ボックスの内部には、前記ソーラーパネルにより発電された電力を充電し、かつその充電した電力を前記照明部に給電するバッテリが収容され、そのバッテリと前記ソーラーパネル及び照明部とが前記中空形態の支柱の内部を通る配線により接続されたことを特徴とする屋外灯」（「請求項１」、図１〜図５参照。）と記載されている。
【先行技術文献】
【特許文献】
【００１２】
【特許文献１】実開平０６−０３７０３３号公報
【特許文献２】特開２００３−０３６７０９号公報
【特許文献３】特開平１１−２２４５０６号公報
【特許文献４】特開２００６−３５１４８６号公報
【特許文献５】特開２０１２−２４３５３２号公報
【特許文献６】特開２００９−０３７８７７号公報
【特許文献７】特開２００９−１１０８７７号公報
【考案の概要】
【考案が解決しようとする課題】
【００１３】
上記特許文献４、５に記載の移動式照明装置は、車輪付きの台車上に固定された支柱の上部に照明灯を取り付け、また、太陽光発電装置、蓄電池を台車上に搭載するものであり、照明装置を台車毎移動することを前提に形成されているものと推量される。工事現場内、イベント会場内、小規模の災害発生現場等、台車の移動範囲がそれほど広くない場合は、台車に車輪が付いているので、照明装置の移動が簡単である。
【００１４】
しかしながら、移動式照明装置は、通常、所有者（工事会社等）が所定の場所に保管しておき、必要なときに、工事現場、イベント会場、災害発生現場等に移動させて使用し、工事の完了、イベントの終了、被災地の復旧工事完了後は、元の保管場所、あるいは、別の工事現場、イベント会場、災害現場等へ移動させなければならないが、上記の特許文献４、５に記載の移動式照明装置は、台車毎移動させる必要があるので、このような移動には、ユニック車やパワーゲート車等の車両による運搬が必要であり、大掛かりな作業となる。上記特許文献１〜３に記載の移動式照明装置も同様である。
【００１５】
また、特許文献６に記載された「屋外照明設備１」は、「基礎部３」が「支柱部２０」と「連結支持された状態で地中に埋設」されているので、移動距離が短い工事現場内であったとしても、別の場所に移動させることは極めて困難である。また、上記特許文献７に記載された「屋外灯」は、「照明部５」が「起立部２１」と一体的に形成され、また、「支柱２は、それらソーラーパネル４、照明部５及び照度センサ６に接続する配線Ｌを通すために中空形態をなして形成されている」（段落「００２１」、図１参照。）ため、分解することが容易でないため、別の場所に移動させるためには、「屋外照明設備１」をそのままの形で運搬しなければならず、運搬に要する人手が多数必要となり、運搬用の車両も大型化することが推測される。
【００１６】
本考案は、かかる事情に鑑みてなされたものであり、特に、工事現場、イベント会場、災害発生現場等で仮設照明装置として用いられる照明装置であって、保管場所から設置場所へ、または、設置場所から別の設置場所への移動（運搬）を簡単に行うことができる組立式照明装置を提供することを目的とする。
【００１７】
また、本考案は、照明装置を構成する太陽光パネル、照明灯、蓄電池のそれぞれに、支柱に着脱自在に連結することができる連結手段を設けることで、工事現場、イベント会場、災害発生現場等で設置する際に、支柱への着脱を容易に行うことができる組立式照明装置を提供することを目的とする。
【課題を解決するための手段】
【００１８】
上記の目的を達成するため、請求項１の考案では、組立式照明装置であって、ＬＥＤ光源を有する照明灯と、該照明灯に電力を供給する蓄電池部と、太陽光を受光して発電を行う太陽電池を有し、該太陽電池が発電した電力を前記蓄電池に充電する太陽光パネルと、備え、前記照明灯と、前記蓄電池部と、前記太陽光パネルとが、それぞれ、分離独立して形成されていることを特徴とする。
【００１９】
また、請求項２の考案では、請求項１の考案において、前記照明灯、前記蓄電池部、前記太陽光パネルのそれぞれに連結手段が取り付けられていることを特徴とする。
【００２０】
また、請求項３の考案では、請求項２の考案において、前記照明灯に取り付けられた連結手段、前記蓄電池部に取り付けられた連結手段、前記太陽光パネルに取り付けられた連結手段のそれぞれが、支柱部に着脱自在に連結されていることを特徴とする。
【００２１】
また、請求項４の考案では、請求項２又は請求項３に記載の考案において、前記連結手段が、少なくとも、クランプ装置、メタルバンド、結束バンドのいずれか一つを用いて構成されていることを特徴とする。
【００２２】
また、請求項５の考案では、請求項１乃至請求項４のいずれか１項に記載の考案において、前記照明灯には、一端に第１のコネクタ部が形成された第１のケーブルの他端が接続され、前記太陽光パネルには、一端に第２のコネクタ部が形成された第２のケーブルの他端が接続され、前記第１のコネクタ部、前記第２のコネクタ部は、それぞれ、前記蓄電池部に形成された第３のコネクタ部、第４のコネクタ部に着脱自在に接続されていることを特徴とする。
【考案の効果】
【００２３】
本考案によれば、照明装置を太陽光パネル、照明灯、蓄電池に分離して構成し、それぞれ独立して小型化して形成したことで、制作コストを低減することができ、また、運搬もユニック車やパワーゲート車を用いずに、乗用車での運搬が可能となったので、照明装置の搬送車への詰め込み作業も楽になり、運搬経費を低減することができる。
【００２４】
本考案によれば、照明装置を構成する太陽光パネル、照明灯、蓄電池、それぞれに連結手段を設けることにより、照明装置の支柱への着脱を簡単に行うことができ、各種工事現場、イベント会場、災害発生現場等で、照明装置を簡単に組み立てて設置することができる。
【図面の簡単な説明】
【００２５】
【図１】本考案の組立式照明装置の支柱への取り付け状態示す斜視図である。
【図２】本考案の組立式照明装置の太陽光パネルを正面方向から見た斜視図である。
【図３】本考案の組立式照明装置の太陽光パネルを背面方向から見た斜視図である。
【図４】本考案の組立式照明装置の照明灯を正面方向から見た斜視図である。
【図５】本考案の組立式照明装置の蓄電池を正面方向から見た斜視図である。
【図６】本考案の組立式照明装置の蓄電池を右側面方向から見た斜視図である。
【考案を実施するための形態】
【００２６】
以下、好適な実施形態を用いて本考案をさらに具体的に説明する。但し、下記の実施形態は本考案を具現化した例に過ぎず、本考案はこれに限定されるものではない。
【００２７】
（実施形態）
本実施形態の組立式照明装置について図１〜図６を参照しながら説明する。図１は、本考案の一実施形態に係る組立式照明装置の支柱への取り付け状態示す斜視図、図２は、本考案の一実施形態に係る組立式照明装置の太陽光パネルを正面方向から見た斜視図、図３は、本考案の一実施形態に係る組立式照明装置の太陽光パネルを背面方向から見た斜視図、図４は、本考案の一実施形態に係る組立式照明装置の照明灯を正面方向から見た斜視図、図５は、本考案の一実施形態に係る組立式照明装置の蓄電池を正面方向から見た斜視図、図６は、本考案の一実施形態に係る組立式照明装置の蓄電池を右側面方向から見た斜視図である。
【００２８】
本実施形態の組立式照明装置１は、図１に示すように、地面に埋設された支柱部２０に取り付けられて使用される。支柱部２０は、伸縮自在である方が好ましい。組立式照明装置１は、主として、太陽光パネル２、照明灯３、蓄電池部４から構成されており、照明灯３は、支柱部２０の上端部に取付けられ、太陽光パネル２と蓄電池４は、支柱２０の下部に取り付けられている。照明灯３と蓄電池部４とは、ケーブル２１で接続されている。ケーブル２１の一端は、直接照明灯３に接続され、他端には、蓄電池部４のコネクタ部と接続されるコネクタ部２１ａが形成されている。太陽光パネル２と蓄電池部４は、ケーブル２２で接続されている。ケーブル２１，２２は、支柱２０の外部に配線されているので、着脱が容易である。また、太陽光パネル２、照明灯３、蓄電池部４のそれぞれには、支柱部２０に着脱自在に連結することができる連結手段が取り付けられており、支柱２０への着脱は、この連結手段を用いて行うことができるので、支柱部２０への着脱が容易である。本実施形態では、連結手段として金属製のクランプ装置が用いられている例を示すが、クランプ装置に代えて、メタルバンド、樹脂製の結束バンド等を用いてもよい。また、図１の支柱部２０は、金属製の円筒形状のパイプで構成されているが、角筒形状のパイプでもよく、また、中空ではなく、例えば、円柱状、角柱状に形成されたものでもよい。以下、照明灯３、蓄電池部４についても同様である。
【００２９】
図１では、組立式照明装置１を道路工事現場の仮設の街路灯として用いる例を示している。支柱部２０は、工事中の道路３０の端部に沿って配設されている防護柵（ガードレール）４０の近傍の地中に埋設されている。この支柱部２０に、太陽光パネル２、照明灯３、蓄電池部４を備えた組立式照明装置１が取り付けられている。なお、支柱部２０に、太陽光パネル２と、照明灯３と、蓄電池部４とが取り付けられた構成を組立式照明装置１としてもよい。
以下、組立式照明装置１を構成する太陽光パネル２、照明灯３、蓄電池部４について個別に説明する。
【００３０】
なお、本考案の組立式照明装置１は、上述した道路工事現場、土木・建設工事現場、イベント会場、災害発生現場以外にも、商用電源の確保が困難な場所に設置することができる。また、仮設照明装置として用いられるだけでなく、例えば工場の敷地内等で、常設の照明装置としても用いることができる。また、組立式照明装置１の設置場所に応じて、地中に埋設された支柱部だけでなく、単管バリケードや打ち込み鋼管への着脱も容易に行うことができる。
【００３１】
図２、図３に示すように、太陽光パネル２は、正面視矩形状の外枠２ａ内のパネル本体２ｂの略全面に、太陽電池を有する複数のセル５が格子状に配設された構成をなしている。背面中央部には、横軸６が配設され、横軸６の両端部は、外枠２ａに螺子等の螺着手段により螺着された固定具６ａ，６ｂに嵌装されて固定されている。
【００３２】
横軸６の中央部には、連結手段としてのクランプ装置７が連結固定されている。クランプ装置７は、いわゆる直交クランプで、単管クランプ７ａ，７ｂのベース部同士を直交させて固着させたものであり、一方の単管クランプ７ａが横軸６に連結固定されており、他方の単管クランプ７ｂは、支柱部２０との連結固定に用いられる。具体的には、単管クランプ７ａのベース部の抱持縁と、ベース部の基端部に回動自在に軸支された可動部の抱持縁とで横軸６を挟持し、締付ボルト、締付ナットを用いて、単管クランプ７ａは横軸６に連結固定される。また、単管クランプ７ｂのベース部の抱持縁と、ベース部の基端部に回動自在に軸支された可動部の抱持縁とで支柱部２０を挟持し、締付ボルト、締付ナットを用いて、単管クランプ７ｂは支柱部２０に連結固定される。なお、単管クランプ７ａ，７ｂ、直交クランプ７は、周知のものである。
【００３３】
パネル本体２ｂの背面上部には、接続箱８が設けられている。接続箱８は、蓄電池部４内に設けられたパワーコンディショナー（不図示）とケーブル２２で接続される。パネル本体２ｂの各セル５で発電された電気エネルギー（直流）は、接続箱８に集められて、ケーブル２２を介して蓄電池部４のパワーコンディショナーに送られる。ケーブル２２の一端には、蓄電池部４と接続するためのコネクタ部２２ａが形成されている。
【００３４】
また、図４に示すように、照明灯３は、照明本体部３ａに照明カバー３ｂ、連結手段としてのクランプ装置９、ケーブル２１が取り付けられた構成をなしている。ケーブル２１の一端には、コネクタ２１ａが形成されている。カバー部３ｂ内部の照明本体３ａ側には、光源となる発光ダイオード（ＬＥＤ）が複数配設されている。光源をＬＥＤにすることで、蓄電池の電力消費を低減することができ、メンテナンスも容易である。ケーブル２１の一端は、直接照明本体部３ａに接続され、他端には、蓄電池部４のコネクタ部と接続されるコネクタ部２１ａが形成されている。
【００３５】
照明本体部３ａには、クランプ装置９のベース部が固着されている。このクランプ装置９は、上述した単管クランプ７ｂと同様に、支柱部２０に連結され、締付ボルト、締付ナットを用いて、支柱部２０に固定される。このクランプ装置９も単管クランプとしては周知である。
【００３６】
また、図５、図６に示すように、蓄電池部４は、略直方体形状をなし、前面には、蓋部４ａが設けられ、左側面には、蓋部４ａに連設して施錠部４ｂが設けられている。蓄電池部４内には、不図示の、パワーコンディショナー、蓄電池、蓄電池の残量を示すインジケーター、これらを接続する配線、蓄電池専用のオン・オフスイッチ、主電源オン・オフ用のスイッチ等が備えられている。蓄電池４の外側底部には、ケーブル２１のコネクタ２１ａ、ケーブル２２のコネクタ２２ａとそれぞれ接続するためのコネクタ部が設けられている。
【００３７】
蓄電池部４の背面には、連結手段としてのクランプ装置１０が取り付けられている。クランプ装置１０は、周知の単管クランプで構成されたクランプ１０ａ，１０ｂを、上下方向に配設して、クランプ１０ａ，１０ｂそれぞれのベース部を蓄電池部４の背面に固着したものである。クランプ装置１０ａ，１０ｂは、単管クランプ７ｂと同様に支柱部２０に連結固定される。
【００３８】
以上のように、本実施形態の組立式照明装置１は、太陽光パネル２、照明灯３、蓄電池部４に分離独立して構成され、それぞれ小型化して形成されており、保管場所から工事現場、イベント会場、災害発生現場等の照明装置設置現場へ移動を行うときに、簡単に乗用車に積み込んで運搬することができる。また、太陽光パネル２、照明灯３、蓄電池部４それぞれに連結手段としてのクランプ装置７，９，１０が設けられているので、上記設置現場で支柱部２０に簡単に取り付けることができ、また、使用後に簡単に取り外しが可能である。
【００３９】
なお、クランプ装置、メタルバンド、結束バンド等の周知の連結手段は、例えば、クランプ装置であれば、締付ナット、締付ボルトを人手で簡単に取り外すことができるので、太陽光パネル２、照明灯３、蓄電池部４が盗難される虞がある。メタルバンド、結束バンドについても同様に簡単に取り外されて盗難される虞がある。このため、連結手段を施錠可能な構成にしてもよい。
【００４０】
また、本実施形態の組立式照明装置１を構成する太陽光パネル２、照明灯３、蓄電池部４、その他の構成部品は、必要に応じて、適宜防水加工されている。
【符号の説明】
【００４１】
１          組立式照明装置
２          太陽光パネル
２ａ        外枠
２ｂ        パネル本体
３          照明灯
３ａ        照明本体
３ｂ        照明カバー
４          蓄電池部
４ａ        蓋部
４ｂ        施錠部
５          セル
６          横軸
６ａ，６ｂ  固定具
７，９，１０  クランプ装置
７ａ，７ｂ  単管クランプ
８          接続箱
２０        支柱部
２１，２２  ケーブル
２１ａ，２２ａ  コネクタ部
３０        工事中の道路
４０        防護柵
【図１】
0003202623.tif 000003
【図２】
0003202623.tif 000004
【図３】
0003202623.tif 000005
【図４】
0003202623.tif 000006
【図５】
0003202623.tif 000007
【図６】
0003202623.tif 000008